(57)【要約】【課題】本願発明は、通信機能の禁止・制限を促進できる携帯端末を提供することを目的とする。【解決手段】本願発明による移動通信端末は、放送または第２の通信方法によって配信されるコンテンツを受信する放送受信部または第２通信部を備え、特定のコンテンツが移動通信端末で利用可能である場合に、上記制御部により、上記ネットワーク通信部の動作を停止するよう制御されることを特徴とする。これにより、通信機能を禁止・制限する代償として、携帯電話を通じて新たなサービス・コンテンツを提供することができ、ユーザに対して積極的に通信機能の禁止・制限を促すのに有効である。【選択図】図１
2005117516.tif 000002
【特許請求の範囲】
【請求項１】
ネットワーク基地局、放送基地局及び短距離通信端末と通信を行なう移動通信端末において、
前記ネットワーク基地局と通信するネットワーク通信部と、前記放送基地局からコンテンツの配信を受ける放送受信部と、前記コンテンツ視聴するためのコンテンツ視聴部と、前記短距離通信端末と通信を行い、視聴制限解除キーを受信する短距離通信部と、前記視聴制限解除キーを記憶する記憶部とを備え、
前記視聴制限解除キーが前記記憶部に記憶されている間は、前記放送基地局から配信されたコンテンツをコンテンツ視聴部に出力させ、ネットワーク通信部を停止させることを特徴とする移動通信端末。
【請求項２】
ネットワーク基地局、放送基地局、短距離通信端末及び移動通信端末からなるシステムにおいて、
前記移動通信端末は、前記ネットワーク基地局と通信するネットワーク通信部と、前記放送基地局からコンテンツの配信を受ける放送受信部と、前記コンテンツ視聴するためのコンテンツ視聴部と、前記短距離通信端末と通信を行い、視聴制限解除キーを受信する短距離通信部と、前記視聴制限解除キーを記憶する記憶部とを備え、
前記視聴制限解除キーが前記記憶部に記憶されている間は、前記放送基地局から配信されたコンテンツをコンテンツ視聴部に出力させ、ネットワーク通信部を停止させることを特徴とするコンテンツ配信システム。
【請求項３】
ネットワーク基地局と通信を行う移動通信端末において、
前記ネットワーク基地局と通信を行うネットワーク通信部と、
放送により配信されるコンテンツを受信する放送受信部と、
前記コンテンツが前記移動通信端末で利用可能である場合に前記ネットワーク通信部の動作を停止するよう制御する制御部とを備えた事を特徴とする移動通信端末。
【請求項４】
ネットワーク基地局と通信を行う移動通信端末において、
前記ネットワーク基地局と通信を行うネットワーク通信部と、
放送により配信されるコンテンツを受信する放送受信部と、
前記ネットワーク通信部の動作を停止した場合には前記コンテンツが前記移動通信端末で利用可能となるよう制御する制御部とを備えた事を特徴とする移動通信端末。
【請求項５】
ネットワーク基地局と通信を行う移動通信端末において、
前記ネットワーク基地局と通信を行う第１の通信部と、
配信されるコンテンツを受信する第２の通信部と、
前記コンテンツが前記移動通信端末で利用可能である場合に前記第１の通信部の動作を停止するよう制御する制御部とを備え、
前記第２の通信部は、ネットワークとの通信を必要としない通信を行なうことを特徴とする移動通信端末。
【請求項６】
ネットワーク基地局と通信を行う移動通信端末において、
前記ネットワーク基地局と通信を行うネットワーク通信部と、
放送により配信されるコンテンツを受信する放送受信部と、
前記コンテンツが前記移動通信端末でストリーム再生される場合には前記ネットワーク通信部の動作を停止するように制御することを特徴とした移動通信端末。
【請求項７】
請求項３乃至５のいずれか１項記載の移動通信端末において、
前記コンテンツの利用を許可する許可情報を記憶する記憶部を備え、
前記制御部は、前記許可情報が前記記憶部に記憶されている場合に前記コンテンツが利用可能となるよう制御することを特徴とした移動通信端末。
【請求項８】
請求項３乃至５のいずれか１項記載の移動通信端末において、
前記移動体通信端末の現在位置を取得する現在位置取得手段と、
前記コンテンツを視聴可能な範囲に関する情報を記憶する記憶部を備え、
前記制御部は、前記現在位置取得手段により取得された現在位置が前記視聴可能な範囲に含まれる場合に、前記コンテンツが利用可能となるよう制御することを特徴とした移動通信端末。
【請求項９】
ネットワーク基地局と通信を行う移動通信端末において、
前記ネットワーク基地局と通信を行うネットワーク通信部と、
放送により配信されるコンテンツを受信する放送受信部と、
前記受信したコンテンツを記録する事ができる記録部とを備え、
前記制御部は、前記コンテンツが記録部に記録されている場合に前記ネットワーク通信部の動作を停止するよう制御することを特徴とする移動通信端末。
【請求項１０】
ネットワーク基地局と通信を行う移動通信端末において、
前記ネットワーク基地局と通信を行うネットワーク通信部と、
放送により配信されるコンテンツを受信する放送受信部と、
前記受信したコンテンツを記録する事ができる記録部とを備え、
前記記録部は、前記ネットワーク通信部の動作を停止したときには前記コンテンツの記録を行なうことを特徴とする移動通信端末。
【請求項１１】
ネットワーク基地局、放送基地局及び移動通信端末からなるコンテンツ配信システムにおいて、
前記ネットワーク基地局は移動通信端末と通信する通信部を備え、ネットワークに接続され、
前記放送基地局はコンテンツを配信するコンテンツ配信部を備え、
前記移動通信端末は前記ネットワーク基地局と通信を行うネットワーク通信部と、前記放送基地局から放送により配信されるコンテンツを受信する放送受信部と、前記コンテンツが前記移動通信端末で利用可能である場合に前記ネットワーク通信部の動作を停止するよう制御する制御部とを備えたことを特徴とするコンテンツ配信システム。
【請求項１２】
ネットワーク基地局、放送基地局及び移動通信端末からなるコンテンツ配信システムにおいて、
前記ネットワーク基地局は移動通信端末と通信する通信部を備え、ネットワークに接続され、
前記放送基地局はコンテンツを配信するコンテンツ配信部を備え、
前記移動通信端末は前記ネットワーク基地局と通信を行うネットワーク通信部と、前記放送基地局から放送により配信されるコンテンツを受信する放送受信部と、前記ネットワーク通信部の動作を停止する場合に前記コンテンツが前記移動通信端末で利用可能となるよう制御する制御部とを備えたことを特徴とするコンテンツ配信システム。
【請求項１３】
ネットワーク基地局と通信を行なう第１の通信部と、
放送基地局と通信を行ない、視聴制限コンテンツを含む複数のコンテンツを受信可能な第２の通信部と、
前記第１の通信部と前記第２の通信部に電源を供給する電源部と、
前記第２の通信部により受信したコンテンツを出力するコンテンツ視聴部とを備え、
前記第１の通信部への電源供給が停止しているときに前記コンテンツ視聴部は前記視聴制限コンテンツを出力する事を特徴とする移動通信端末。
【請求項１４】
ネットワーク基地局、放送基地局、短距離通信端末及び移動通信端末からなるシステムにおいて、
前記放送基地局は、前記放送基地局が配信するコンテンツを視聴するための制限を解除する視聴制限解除キーを有する前記移動通信端末に対して、コンテンツを配信する事を特徴とするコンテンツ配信システム。
【請求項１５】
ネットワーク基地局、放送基地局及び病院に設置された短距離通信端末と通信を行なう移動通信端末において、
前記ネットワーク基地局と通信するネットワーク通信部と、前記放送基地局からコンテンツの配信を受ける放送受信部と、前記コンテンツ視聴するためのコンテンツ視聴部と、前記短距離通信端末と通信を行い、視聴制限解除キーを受信する短距離通信部と、前記視聴制限解除キーを記憶する記憶部とを備え、
病院に入るときに、前記短距離通信端末と通信を行い、視聴制限解除キーを受信する事で、前記放送基地局から配信されたコンテンツをコンテンツ視聴部に出力させ、ネットワーク通信部を停止させることを特徴とする移動通信端末。
【請求項１６】
ネットワーク基地局、放送基地局及び駅に設置された短距離通信端末と通信を行なう移動通信端末において、
前記ネットワーク基地局と通信するネットワーク通信部と、前記放送基地局からコンテンツの配信を受ける放送受信部と、前記コンテンツ視聴するためのコンテンツ視聴部と、前記短距離通信端末と通信を行い、視聴制限解除キーを受信する短距離通信部と、前記視聴制限解除キーを記憶する記憶部とを備え、
駅に入るときに、前記短距離通信端末と通信を行い、視聴制限解除キーを受信する事で、前記放送基地局から配信されたコンテンツをコンテンツ視聴部に出力させ、ネットワーク通信部を停止させることを特徴とする移動通信端末。
【請求項１７】
ネットワーク基地局、放送基地局及び電車に設置された短距離通信端末と通信を行なう移動通信端末において、
前記ネットワーク基地局と通信するネットワーク通信部と、前記放送基地局からコンテンツの配信を受ける放送受信部と、前記コンテンツ視聴するためのコンテンツ視聴部と、前記短距離通信端末と通信を行い、視聴制限解除キーを受信する短距離通信部と、前記視聴制限解除キーを記憶する記憶部とを備え、
電車に乗車するときに、前記短距離通信端末と通信を行い、視聴制限解除キーを受信する事で、前記放送基地局から配信されたコンテンツをコンテンツ視聴部に出力させ、ネットワーク通信部を停止させることを特徴とする移動通信端末。
【請求項１８】
電話機能とテレビ放送を視聴する視聴機能と、
病院において、前記電話機能を停止させ、前記視聴機能を稼動させる制御部を備えた通信端末。
【請求項１９】
電話機能とテレビ放送を視聴する視聴機能と、
電車において、前記電話機能を停止させ、前記視聴機能を稼動させる制御部を備えた通信端末。
【発明の詳細な説明】
【技術分野】
【０００１】
本願発明は、移動通信端末及びこれを利用したコンテンツ配信システムに関する。
【背景技術】
【０００２】
従来、特定の施設・場所（病院、映画館、劇場等）において携帯電話による通信を禁止・制限する手法としては、携帯電話の通信機能のみをオフして通信できないようにする一方、その他の機能は使用可能とする手法が提案されていた（特許文献１）。即ち、携帯電話による通信が禁止・制限されている施設においても、通信機能以外の機能、例えば着信済みメールの表示・スケジュールの確認等は使用可能とすることで、携帯電話による通信の禁止・制限を図る手法が提案されていた。
【０００３】
【特許文献１】特開２００２−８４５７１号公報
【発明の開示】
【発明が解決しようとする課題】
【０００４】
しかしながら、上記特許文献１においては、通信機能をオフする代わりに、着信済みメールの表示・スケジュールの確認等、携帯電話に既に取り込み済みのデータを用いることができるのみであり、これでは、通信機能の禁止・制限を促すと言う点については課題が残る。
【０００５】
即ち、上記特許文献１においては、通信機能を禁止・制限したとしても、新たなサービス・コンテンツの提供を受けることができず、また、携帯電話に取り込まれていないコンテンツを外部から受信することもできないため、通信機能の禁止・制限を図るための手法としては不十分な点も否めなかった。
【０００６】
本願発明は、通信機能の禁止・制限を促進できる携帯端末を提供することを目的とする。
【課題を解決するための手段】
【０００７】
上記目的を達成するため、本願発明による移動通信端末は、放送または第２の通信方法によって配信されるコンテンツを受信する放送受信部または第２受通信部を備え、特定のコンテンツが移動通信端末で利用可能である場合に、上記制御部により、上記ネットワーク通信部の動作を停止するよう制御されることを特徴とする。
【発明の効果】
【０００８】
本願発明によれば、通信機能の禁止・制限を促進できる携帯端末を提供することが可能となる。
【発明を実施するための最良の形態】
【０００９】
まず、図１を参照しながら、本発明の提案する移動通信端末の構成例について説明する。図１は、移動通信端末の機能ブロック図の１例である。
【００１０】
第１制御部２は、移動通信端末１の各部を制御するものである。放送受信部３は、第１制御部２により制御され、放送基地局４から放送されるコンテンツを受信し、コンテンツ視聴部５に出力することのできるものである。
【００１１】
コンテンツ視聴部５は、放送受信部３から入出力されるコンテンツ情報をユーザが視聴することのできる、例えば液晶ディスプレイやスピーカなどのインターフェイスで構成され、第１制御部２により制御されるものである。
【００１２】
放送されるコンテンツには視聴制限コンテンツが含まれる。視聴制限コンテンツとは、所定の方法で視聴制限を解除することによって、コンテンツ視聴部で正常に視聴することができるよう制限されているものである。ここで視聴制限とは、例えば暗号化及びスクランブル等のユーザ制限又は再生制限の事である。また、全く再生しないような再生制限でも構わない。視聴制限解除機能６は、第１制御部２により制御され、視聴制限コンテンツの視聴制限を解除する機能を有するものである。
【００１３】
ネットワーク通信部７は、第１制御部２により制御され、ネットワーク基地局８と通信を行い、ネットワーク９に接続することができるものである。また、ネットワーク通信部７は、第１制御部２により、それ以外の構成要素とは独立に動作の有効／無効を切り替えることができる。例えば、第１制御部は、放送受信部３、コンテンツ視聴部５、及び視聴制限解除機能６などの動作を有効としたままで、ネットワーク通信部７の動作を無効とすることができる。ここで、動作を無効するとは、通信部７への電源供給を停止又は電源の一部を停止する事により、端末から、ネットワーク基地局への電力放射を停止した状態をいう。
【００１４】
この場合、ユーザは、移動通信端末１からネットワーク基地局８への電力放射を停止した状態で、放送基地局４から配信されるコンテンツを視聴することができる。
【００１５】
第２制御部１０は、短距離通信部１１、記憶部１２を制御するものである。
短距離通信部１１は、第２制御部１０により制御され、短距離通信端末１３と通信を行い、また、短距離通信端末１３から電力を供給を受けることができるものである。
記憶部１２は、第１制御部２及び第２制御部１０により制御され、視聴制限解除キーを記憶することのできるものである。ここで、視聴制限解除キーとは、復号化又はデスクランブル等するためのキーであって、ユーザ制限又は再生制限を解除するためのキーである。
【００１６】
第２制御部１０、短距離通信部１１及び記憶部１２は短距離通信端末１３から非接触の電力供給を受けて動作する、例えば非接触ＩＣのような構成であるものとする。
【００１７】
ゲート１４は、施設利用者が施設から退場する場合に通過するもので、短距離通信端末１３から開閉を制御できるものである。
【００１８】
続いて、図２及び図３を参照しながら、施設内でネットワーク通信機能を停止するかわりに、特定の視聴制限コンテンツを視聴可能にする手順例を説明する。図２は視聴制限コンテンツを視聴可能にする時の移動通信端末１、及び短距離通信端末１３の行う制御の手順例で、図３は施設を退場する時の手順例である。
【００１９】
本例では、施設は上記短距離通信端末１３を１台以上有しており、また退場用のゲート１４が設けられ、施設利用者は、退場時に必ずこのゲートを通過するものとする。また本例では、視聴制限コンテンツは、暗号化によって視聴が制限されているものとし、暗号解除のための視聴制限解除キーを記憶部１２に記憶させることで、視聴制限解除機能６によって暗号が解除され、コンテンツを正常に視聴できるようになるものとする。
【００２０】
尚、上記のコンテンツの視聴制限及び視聴制限解除の方法は本発明を制限するものではなく、コンテンツの視聴権にあたる視聴制限解除キーを記憶部に記憶させることでコンテンツの視聴制限制限を解除できるものであればよい。例えば、コンテンツを視聴するためのチャンネルが選択できないように設定されており、視聴制限解除キーを記憶部１２に記憶させることにより該当チャンネルが選択可能となるよう、第１制御部２によって制御されてもよい。
【００２１】
まずユーザが施設に入場した後、移動通信端末１を短距離通信端末１３に近接させ所定の操作を行うことにより、第２制御部１０は短距離通信部１１を介して施設の設置する短距離通信端末１３に視聴制限解除キー送信要求を送信する（手順Ｂ１１）。
【００２２】
短距離通信端末１３は、視聴制限解除キー送信要求を受信すると（手順Ａ１１）、移動通信端末１へ視制限解除キーを送信する（手順Ａ１２）。
【００２３】
短距離通信端末１３から視聴制限解除キーを受信すると（手順Ｂ１２）、第２制御部１０は、受信したキーを記憶部１２に記憶し（手順Ｂ１３）、第１制御部２は、ネットワーク通信部７の動作を停止させる（手順Ｂ１４）。
【００２４】
視聴制限解除キーが記憶部１２に記憶されている間は、第１制御部２は視聴制限解除機能６を用いて視聴制限コンテンツを視聴可能な状態でコンテンツ視聴部５に出力させることができる。また、第１制御部２は、上記視聴制御解除キーが記憶部１２に記憶されている間は、ネットワーク通信部７の動作を停止させるよう制御を行う。なお、ここでは記憶部１２に記憶された視聴制限解除キーは、後述する退場時の手順によってのみ消去でき、ユーザの要求によっては消去できないものとする。
【００２５】
施設から退出するときには、ユーザが移動通信端末１を短距離通信端末１３に近接させ所定の操作を行うことにより、第２制御部１０は短距離通信部１１を介して施設の設置する短距離通信端末１３に退場処理開始要求を送信する（手順Ｄ１１）。短距離通信端末１２は、退場処理開始要求を受信すると（手順Ｃ１１）、移動通信端末１へ視制限解除キー消去要求を送信する（手順Ｃ１２）。
【００２６】
短距離通信端末１３から視聴制限解除キー消去要求を受信すると（手順Ｄ１２）、記憶部１２に視聴制限解除キーが記憶されていれば（手順Ｄ１３−ｙｅｓ）、第２制御部１０は、視聴制限解除キーを消去し（手順Ｄ１４）、第１制御部２は、ネットワーク通信部７を動作可能とする（手順Ｄ１５）。手順Ｄ１３で、記憶部１２に視聴制限解除キーが記憶されていなければ、手順１３、及び手順１４は行わない（手順Ｄ１３−ｎｏ）。
【００２７】
次に第２制御部１０は、短距離通信端末１３へ開門要求を送信する（手順Ｄ１６）。短距離通信端末１３は、開門要求を受信すると（手順Ｃ１３）、退場ゲート１４を開く（手順Ｃ１４）。
【００２８】
これらの一連の動作により、ユーザが、施設から視聴制限解除キーが提供される視聴制限コンテンツを視聴することを選択した場合に、施設内でネットワーク通信部７の動作が停止することになり、施設内でのネットワークとの通信機能の停止を、利用者の任意性を残しつつ促進することができる。
【００２９】
これまでは、ゲート１４で退場を管理することにより、退場時に視聴制限解除キーの消去を確実に行う例について説明してきたが、施設からの退場判定は移動通信端末１の現在位置情報によって行われてもよく、この場合、端末の視聴制限解除キーは移動通信端末１の現在位置情報により、有効または無効となる。以下、図４及び図５を参照しながら、上記の例について説明する。
【００３０】
移動通信端末は、例えばＧＰＳによる現在位置検出手段１５を備えているものとする。また施設から配信される視聴制限解除キーには、制限解除位置情報が含まれるものとする。制限解除位置情報とは、第１制御部２が視聴制限解除キーの有効／無効を判定するのに用いられ、第１制御部２は、これに該当する位置においてのみ視聴制限解除キーが有効となるよう制御する。
【００３１】
この視聴制限解除キーが記憶部１２に記憶された場合（手順Ｅ１１）、まず第１制御部２は上記現在位置検出手段１５を用いて端末の現在位置を取得し（手順Ｅ１２）、取得した端末位置と上記制限解除位置情報を比較し（手順Ｅ１３）、現在位置が制限解除位置情報に含まれている場合には（手順Ｅ１４−ＹＥＳ）、コンテンツの視聴制限を解除し（手順Ｅ１５）、さらにネットワーク通信部７の通信機能を停止させる（手順Ｅ１６）。
【００３２】
この後も移動通信端末の制御部は一定時間ごとに現在位置検出手段１５を用いて端末の現在位置を取得し、端末位置が上記制限解除位置情報と一致しなくなった場合には（手順Ｅ１４−ＮＯ）、コンテンツの視聴制限を有効とし（手順Ｅ１７）、さらにネットワーク通信部７の通信機能の動作を開始する（手順Ｅ１８）。
【００３３】
この例においては、視聴制限解除キーが消去されないまま施設を出たとしても、キーの有効範囲外では視聴制限解除は自動的に消去され、またネットワーク通信部７の通信機能は自動的に有効となる。このため、施設側で退場をゲート１４などで管理しない場合にも適用できる。
【００３４】
以上より、本発明によれば、通信機能を禁止・制限する代償として、携帯電話を通じて新たなサービス・コンテンツを提供することにより、ユーザに対して積極的に通信機能の禁止・制限を促すことができる。
【００３５】
また、ユーザは通信機能を禁止・制限する代償として新たなサービス・コンテンツの提供を受けることができるようになる。この場合、携帯電話による通信が禁止・制限されている施設・場所特有のサービス・コンテンツを提供することができれば、ユーザは通信機能を使えなくても当該サービス・コンテンツを楽しむことができるため、特に有効である。従って、本願発明は、ユーザに対して通信機能のオフを積極的に促すインセンティブを与えることができ、携帯電話による通信が禁止・制限されている特定の施設・場所において、通信機能の禁止・制限を促進する手法として極めて有効である。
【００３６】
尚、上の例では現在位置検出手段１５をＧＰＳによるものとしたが、これは移動通信端末１の現在位置を取得できるものであればよく、本発明を制限するものではない。例えば、現在位置検出手段１５としてＲＦＩＣタグとの通信部を設けておき、施設内に置かれたタグをと通信できるか否かをもって現在位置情報としても良い。この場合には、ＧＰＳの電波が利用できない場所であっても位置情報を取得できる。
【００３７】
また、視聴制限解除キーが時間情報によって無効となるよう制御されても良く、この場合、移動通信端末にＧＰＳ受信機やＲＦＩＤタグの検出手段などを設ける必要が無くなる。
【００３８】
また、これまでの例では、視聴するコンテンツを放送基地局４からの放送によるものとしたが、コンテンツの配信方法は、視聴する時にネットワークとの通信を必要としないものであれば良い。例えば短距離通信端末１３との通信によってコンテンツを受信しても良く、この場合には、移動通信端末１は放送受信部３を備えなくともよくなり、より廉価な端末においても本発明が実施可能となる。また、施設外ではコンテンツを受信できなくなるため、退場ゲート１４や位置検出手段１５などによる管理が不要となる。
【００３９】
また、これまでの例では、施設に設置された短距離通信端末１３との通信は非接触通信によるものとしたが、これは施設本発明を制限するものではなく、短距離通信端末１３との通信は、接触型のインターフェイスによって行われても良い。
【００４０】
また、コンテンツの配信方法はコンテンツ全体をダウンロードしてから視聴するものであってもよく、この場合、コンテンツに視聴制限をかけなくてもよくなる。例えば、図２及び３の手順例において、視聴制限解除キーではなくコンテンツそのものを転送するようにし、第２制御部は、コンテンツが記憶部に記憶されている間、ネットワーク通信部の動作を停止するよう制御する。これにより、ユーザはオンデマンドでコンテンツを視聴でき、便利である。
【００４１】
尚、配信されるコンテンツは、配信者が施設と同一であってもよいし、別であってもよい。
【００４２】
前者の場合、施設が特定の視聴制限コンテンツを施設利用者が視聴できるような、コンテンツ配信者との契約が必要となるが、施設は独自のコンテンツを用意することなく本発明を実施することができる。また後者の場合、施設が独自のコンテンツを配信することにより、ユーザは、より施設に密着したコンテンツを視聴することができる。
【００４３】
尚、本発明において施設とは、病院、電車及び図書館などの公益的施設のみならず、映画館、アミューズメントパーク等の私益的な施設も含めるとものする。
【００４４】
以下各施設において本願発明を具体的に適用した場合の実施例を示す。
【００４５】
病院においては自分以外の他の患者（例えばペースメーカを使用している患者）の迷惑とならないように、移動通信端末において通話やメール等の通信機能はＯＦＦにし、病院近辺の店の安売り情報や病院内部のレストランや売店の特売情報又は病院が提供するコンテンツ、例えば健康促進や病気予防のコンテンツを視聴可能にする。こうすることで、病院としては、患者の健康を気遣う病院である事をアッピールできるし、健康促進や病気予防などのコンテンツを視聴可能とする事は病院に来院しているユーザにとっては有用である。
【００４６】
このとき配信の形態は放送によるものでも良いし、その他上記したペースメーカに悪影響を及ぼさないものであればよい。
【００４７】
電車においては自分以外の乗客に迷惑をかけないように、移動通信端末において通話やメール等の通信機能はＯＦＦにし、時刻表や、駅近辺の店の安売り情報やつり革広告等に相当する広告など鉄道会社が提供するコンテンツや、広告主が提供するコンテンツ等を視聴可能にする。このとき、駅の改札を通過する際に自動的に通信機能をＯＦＦにするような形態を取ると確実に使用を制限する事ができ、なおかつコンテンツを提供する事で、ユーザも乗車中に不正に通信機能をＯＮにするといった事態を回避する事も可能になる。さらに、今まではつり革広告等、紙面ベースでの広告の提供がほとんどであったが、映像による広告も可能となり、広告主としてもアッピールの機会が増える。さらに、ユーザも電車の中で退屈せずにすむ。
【００４８】
また、映画館や図書館では映画や書籍の新作情報、その他の注意事項などを促すようなコンテンツを配信する形態が考えられる。
【００４９】
さらに、アミューズメントパークにおいては、特定のアトラクションにおいて、ゲートを設け、通信機能を自動又はユーザの任意でＯＦＦにするようにし、そのアトラクションの説明や、アトラクションに関係するものであって、ユーザに通信機能をＯＦＦさせ、またそのアトラクション中はＯＮにしないようなインセンティブを与えるようなコンテンツを視聴可能とする形態が考えられる。このような形態をとることで、アトラクションを楽しむ自分以外の他人の迷惑にならない。さらに、アトラクションを提供する側（例えばアミューズメントパーク側）にとっても、このような形態をとることで、アトラクションの説明に人を雇う必要も無く、人件費削減につながる。また、移動通信端末を利用したアトラクションを提供する事ができ、よりユーザにとって興味を引くアトラクションを提供する事も可能である。  また、本発明の実施形態は上記施設だけでなく、例えば車を施設と見立てて、当該車のドアや高速道路のパーキングエリアや料金所や道路等にゲートを設け、運転中には通信を行なわず、定期的に(例えば、料金所通過時に)渋滞情報等のコンテンツを基地局から発信するような形態をとってもよい。この場合には、運転中の通信機能を制限することによって、運転の安全を維持する事ができ、また、渋滞情報等、ユーザにとって有用なコンテンツを配信する事ができる。さらに、この場合において、車の中に放送基地局を設けることで、より確実に運転の安全を維持する事ができる。
【００５０】
尚、本発明において、ネットワーク基地局とは、携帯電話の基地局やＰＨＳの小型アンテナ等のディジタル信号及びアナログ信号を発信するものを含むものとする。
【産業上の利用可能性】
【００５１】
本願発明によれば、通信機能の禁止・制限を促進できる携帯端末を提供することが可能となる。
【図面の簡単な説明】
【００５２】
【図１】移動通信端末の構成例１
【図２】構成例１における施設入場時の処理手順例
【図３】構成例１における施設退場時の処理手順例
【図４】移動通信端末の構成例２
【図５】構成例２における処理手順例
【符号の説明】
【００５３】
１  移動通信端末
２  第１制御部
３  放送受信部
４  放送基地局
５  コンテンツ視聴部
６  視聴制限解除部
７  ネットワーク通信部
８  ネットワーク基地局
９  ネットワーク
１０  第２制御部
１１  短距離通信部
１２  記憶部
１３  短距離通信端末
１４  ゲート
１５  現在位置検出手段
Ａ１１〜Ａ１２  構成例１における施設入場時の短距離通信端末の処理手順例
Ｂ１１〜Ｂ１４  構成例１における施設入場時の移動通信端末の処理手順例
Ｃ１１〜Ｃ１４  構成例１における施設退場時の短距離通信端末の処理手順例
Ｄ１１〜Ｄ１４  構成例１における施設退場時の移動通信端末の処理手順例
Ｅ１１〜Ｅ１４  構成例２における移動通信端末の処理手順例
【図１】
2005117516.tif 000003
【図２】
2005117516.tif 000004
【図３】
2005117516.tif 000005
【図４】
2005117516.tif 000006
【図５】
2005117516.tif 000007